(57)【要約】【課題】構造が極限まで簡略化され、製作加工がコスト低廉に行え、ねじ運動によるカバー板の着脱作業が軽快に行える、マンホール蓋の操作工具孔のカバー装置を提供する。【解決手段】マンホール蓋１の操作工具孔２を上面側から覆うカバー板３の下面にストッパー板４を枢軸５によって上下方向に回動可能に支持し、カバー板３の上下方向に貫通した螺子孔６に駆動ボルト７をねじ合わせ、駆動ボルト７の先端部８をストッパー板４の基端側部分９の上面に突き当て、駆動ボルト７の螺子孔６へのねじ込み量を増減させてストッパー板４を操作工具孔２内で回動させ、ストッパー板４の先端側部分１０をマンホール蓋１側の受止め部１１に対して下面側から係脱させることによって、カバー板３をマンホール蓋１に着脱可能に締付け固定する。【選択図】図２
2005054421.tif 000002
【特許請求の範囲】
【請求項１】
マンホール蓋１の操作工具孔２を上面側から覆うカバー板３の下面側にストッパー板４を枢軸５によって回動可能に支持し、カバー板３を貫通した螺子孔６に駆動ボルト７をねじ合わせ、駆動ボルト７の先端部８をストッパー板４の基端側部分９に突き当て、駆動ボルト７の螺子孔６へのねじ込み量を増減させてストッパー板４を操作工具孔２内で回動させ、ストッパー板４の先端側部分１０をマンホール蓋１側の受止め部１１に係脱させることによって、カバー板３をマンホール蓋１に着脱可能に締付け固定するようにしたマンホール蓋の操作工具孔用カバー装置。
【発明の詳細な説明】
【技術分野】
【０００１】
本発明は、マンホール蓋の開閉操作に当たってバール等の操作工具が挿入される工具孔を、不使用時に閉塞するカバー装置に関するものである。
【背景技術】
【０００２】
従来のカバー装置は、マンホール蓋の操作工具孔に対応して長手寸法と短手寸法を有し、操作螺子の頚部が遊転可能に支持される係止孔を中央部に備え、操作工具孔を上面から覆うカバー板と；カバー板の下面側に接合され、操作螺子の下端部を遊転可能に支持する支持孔を底面板部に設けたコ字状の支持枠板と；カバー板の短手方向に配置され、中央部の螺子孔にて操作螺子に螺合され、操作螺子の正逆回転によって支持枠板に沿って上下方向に移動する挟着板とからなり、挟着板の長手寸法を操作工具孔の短手寸法よりも長くて操作工具孔の長手寸法よりも短く設定し、挟着板の両端部とカバー板の側縁部との間で操作工具孔の縁部を挟持する（特許文献１参照）。
【０００３】
このカバー装置を操作工具孔の上面から取り外すには、操作螺子をカバー板の上面側から特定方向に回して、挟着板を支持枠板によって案内規制しながらそのままの下方に移動させ、挟着板の両端部とカバー板の側縁部による操作工具孔の縁部の挟持を解除する。次にカバー板をマンホール蓋の上面に沿って９０度回転させることによって、挟着板の長手方向を操作工具孔の長手方向に合致させる。このように配置したとき、挟着板の長手寸法は前記のように操作工具孔の長手寸法よりも短く設定されているいため、挟着板と支持枠板を操作工具孔から抜き取って、カバー装置全体を操作工具孔から取り外すことができる。
【０００４】
しかしながら、この従来装置では操作螺子を緩め方向に回した後、カバー装置全体を９０度回転させなければならないため、取外し操作が二段階的となり作業性が良くない。また、長期間の使用によってカバー板が錆付きや土埃の目詰まりなどによってマンホール蓋に付着しているときには、カバー板の９０度回転が容易に行なえないという問題がある。
【０００５】
これらの問題の改善策として提案されたカバー装置では、マンホール蓋の操作工具孔に対応して長手寸法と短手寸法を有し、操作螺子の頚部が遊嵌される透孔を中央部に備え、操作工具孔を上面から覆うカバー板と；カバー板の下面側に間隔を置いて２本の案内脚板によって接合され、操作螺子の螺子軸部が螺合される螺子孔を中央部に設けた支持底板と；長手寸法が操作工具孔の短手寸法よりも長くて操作工具孔の長手寸法よりも短く、中央部の螺子孔にて操作螺子の螺子軸部に螺合され、操作螺子の正逆回転によって案内脚板の一方の側縁に当接して上下動する挟着板と、操作螺子の上部がカバー板の上面から浮き上れるように支持底板との間に余裕空間を置いて操作螺子の下端部に設けた抜止めナットとからなる。
【０００６】
このカバー装置では、操作工具孔をカバー板によって上面側から閉塞した後、操作螺子を適当な回転工具によって特定方向に回すと、挟着板は操作螺子に追随して一体的に回転移動する。挟着板がカバー板に対して９０度回転して案内脚板の一方の側縁に当接したときには、挟着板の長手方向は操作工具孔の短手方向に整列しており、挟着板の長手方向の両端部は操作工具孔の縁部の下面側に来ている。ここで操作螺子の特定方向への回転を続行すると、挟着板は案内脚板によってそれ以上の回転移動を阻止された状態で、案内脚板に沿って上方に平行移動することになり、最終的には挟着板の長手方向の両端部とカバー板の側縁部との間で操作工具孔の縁部を挟持する。
【０００７】
カバー装置を取外すために、操作螺子を前記特定方向とは逆方向に回すと、挟着板は操作螺子と一体的に回転移動し、カバー板に対して９０度回転したところで、案内脚板の他方の側縁に衝突することになる。この段階では、挟着板は長手方向が操作工具孔の長手方向に揃うように配置され、操作工具孔の縁部から離脱した位置に来ている。ここで操作螺子の逆回転を続行すると、挟着板は案内脚板によってそれ以上の回転移動を阻止された状態で、案内脚板に沿って下方に平行移動することになり、挟着板の下降分だけカバー板の上面から操作螺螺子の上部が浮き上がることになる。かくして、カバー装置は操作螺子の上部を上方に引き上げることによって操作工具孔から取外される。
【０００８】
このカバー装置は、カバー板をマンホール蓋の上面に沿って９０度回転させる必要がなくなった点では従前のカバー装置よりも改善されているのであるが、構成部品点数が多いため、その製作加工のコストが嵩張り、また、操作螺子のねじ運動を案内脚板の側縁の介在によって挟着板の平行直線運動に変換しているため、操作時の摩擦抵抗が多いものであった。
【０００９】
【特許文献１】実用新案登録第２５３１５８１号公報
【特許文献２】特許第３１４８７２０号公報
【発明の開示】
【発明が解決しようとする課題】
【００１０】
解決しようとする問題点は、構造を極限まで簡略化して製作加工をコスト低廉に行う点と、ねじ運動によるカバー板の着脱作業が摩擦抵抗少なく軽快に行えるようにする点である。
【課題を解決するための手段】
【００１１】
マンホール蓋１の操作工具孔２を上面側から覆うカバー板３の下面側にストッパー板４を枢軸５によって回動可能に支持し、カバー板３を貫通した螺子孔６に駆動ボルト７をねじ合わせ、駆動ボルト７の先端部８をストッパー板４の基端側部分９に突き当て、駆動ボルト７の螺子孔６へのねじ込み量を増減させてストッパー板４を操作工具孔２内で回動させ、ストッパー板４の先端側部分１０をマンホール蓋１側の受止め部１１に係脱させることによって、カバー板３をマンホール蓋１に着脱可能に締付け固定することを最も主要な特徴とする。
【発明の効果】
【００１２】
本発明のカバー装置では、駆動ボルト７の先端部８をストッパー板４の基端側部分９に突き当てた状態で駆動ボルト７を回すことによって、ストッパー板４が枢軸５を中心に直接的に回転駆動されるものであるから、この作動時に摩擦抵抗が非常に少なく、小さな力で軽快にカバー板３の固定と解除を円滑に行える利点がある。
【００１３】
また、駆動ボルト７を弛緩させて締付け固定を解除した後、カバー板３をそのままの位置で引き上げれば足りるものであって、カバー板３を操作工具孔２に対して９０度回転させる必要がないので、操作手順が単純化される。
カバー板３、ストッパー板４、枢軸５および駆動ボルト７といった非常に少ない部品によって構成され、構造が極限まで簡略化されているから、製作加工のコストが低廉となる利点がある。
【発明を実施するための最良の形態】
【００１４】
カバー板３は防錆処理された金属板で形成され、金属製の駆動ボルト７とストッパー板４も防錆処理される。ストッパー板４は、枢軸５を抱くように中央部付近においてＵ字状に屈曲される。金属製のマンホール蓋１側の受止め部１１は、操作工具孔２の縁側部分で略半円形状に形成される。ストッパー板４の先端側部分１０は、該受止め部１１を下面側から包み込むような形状に湾曲加工される。ストッパー板の基端側部分９は、駆動ボルト７を最大限に緩めたとき、駆動ボルト７の下端面に当接するように屈曲加工される。
このようにすることによって、駆動ボルト７のねじ込みによる突き押し力がロスなくストッパー板４に伝達され、また、ストッパー板４の回動終端において先端側部分１０が前記受止め部１１を抱持するように係合するため、カバー板３がマンホール蓋１の上面に沿って横滑りすることがない。
【実施例１】
【００１５】
図１は、本発明装置の１実施例の使用状態の平面図であり、マンホール蓋１の操作工具孔２は、受止め部１１を挟んで上下方向に湾曲した潜り込みトンネル状に形成され、両端の二つの出入り口部２ａ，２ｂが上向きに開口している。
螺子孔６はカバー板３の片側に偏移した位置に上下方向に配置され、下面に向かって突き出した円形厚肉部１２にタップ加工されている。螺子孔６の上部には、駆動ボルト７の頭部１３を収容する拡大孔１４を形成してある。カバー板３の下面には一対の軸受板部１５，１６が突設されている。ピン状の枢軸５はカバー板３の上面と平行に配置され、軸受板部１５，１６に両端を抜け止め固定されている。カバー板３の下面の反対側には、位置決め突起１７が突設されている。
操作ハンドル１８の先端部にはデルタ形状の駆動凹部１９が形成され、駆動ボルト７の頭部１３には、デルタ形状の受動突起２０が形成されている。
【００１６】
図８に示したように駆動ボルト７が十分に弛緩された状態で、位置決め突起１７を操作工具孔２の一方の出入り口部２ｂに挿入し、軸受板部１５，１６を操作工具孔２の他方の出入り口部２ａに挿入することによって、カバー板３がマンホール蓋１の上面に被せられ、操作工具孔２の全体をカバー板３で閉塞する。
この当初状態では、ストッパー板４の先端側部分１０は出入り口部２ａ内に垂れ下がり、ストッパー板４の基端側部分９の上面は、駆動ボルト７の先端部８の下面に当接している。
なお、枢軸５はストッパー板４と一体に形成することもできる。
【００１７】
操作ハンドル１８の駆動凹部１９を駆動ボルト７の受動突起２０に嵌め合せてから、操作ハンドル１８を特定方向に回すと、駆動ボルト７が螺子孔６に沿って下方移動する。ストッパー板４は、基端側部分９の上面を駆動ボルト７の先端部８で突き押されることによって、枢軸５を中心に回動する。駆動ボルト７の頭部１３がカバー板３の拡大孔１４に収容された最終段階では、図２に示したようにストッパー板４の先端側部分１０は、マンホール蓋１側の受止め部１１を下面側から抱持するように係合する。
【００１８】
この最終段階では、図２に示したようにストッパー板４の基端側部分９は垂直に配置されて、駆動ボルト７の先端部８の側面に当接している。かくして、カバー板３はマンホール蓋１に強固に締付け固定される。カバー板３の横滑り阻止は、前記位置決め突起１７が前記受止め部１１の側面に係合することによっても行われている。カバー板３の締付け固定の確認後、操作ハンドル１８が駆動ボルト７から引き抜かれる。
【００１９】
マンホール蓋１を共同溝内の配線工事等のために開放するときには、前記特定方向とは反対方向に操作ハンドル１８を回す。この回転操作によって駆動ボルト７が螺子孔６に沿ってカバー板３から浮き上がる。この駆動ボルト７の上方移動の過程で、ストッパー板４の基端側部分９と駆動ボルト７との当接点は、先端部８の側面から下端面へと変移し、図８に示した状態に到達する。
【００２０】
ここで操作ハンドル１８を取外し、作業員が駆動ボルト７の頭部１３を掴むことによって、カバー板３が操作工具孔２から外される。その後、先端部が湾曲したバール状の操作工具（図示していない）を、操作工具孔２の前記出入り口部２ｂから出入り口部２ａへと差し込むことによって、マンホール蓋１がマンホールの固定筒体２１から取り外される。
【図面の簡単な説明】
【００２１】
【図１】本発明の一実施例に係るカバー装置を取付けたマンホール蓋の要部平面図である。
【図２】該マンホール蓋の要部縦断面図である。
【図３】該カバー装置の平面図である。
【図４】該カバー装置の底面図である。
【図５】該カバー装置の右側面図である。
【図６】該カバー装置に使用される回転操作ハンドルの正面図である。
【図７】該操作ハンドルの平面図である。
【図８】駆動ボルトを弛緩した状態におけるカバー装置の縦断面図である。
【図９】該カバー装置を取り去った状態におけるマンホール蓋の要部平面図である。
【符号の説明】
【００２２】
１  マンホール蓋
２  操作工具孔
３  カバー板
４  ストッパー板
５  枢軸
６  螺子孔
７  駆動ボルト
８  駆動ボルトの先端部
９  ストッパー板の基端側部分
１０  ストッパー板の先端側部分
１１  マンホール蓋側の受止め部
１８  操作ハンドル
【図１】
2005054421.tif 000003
【図２】
2005054421.tif 000004
【図３】
2005054421.tif 000005
【図４】
2005054421.tif 000006
【図５】
2005054421.tif 000007
【図６】
2005054421.tif 000008
【図７】
2005054421.tif 000009
【図８】
2005054421.tif 000010
【図９】
2005054421.tif 000011